(57)【要約】【課題】  医薬品業界特に調剤薬局にとって大きな負担となる使用期限切れの医薬品が出ないようにする調剤薬局業務支援方法およびシステムを実現する。【解決手段】  調剤薬局支援サーバは、調剤薬局が送信する希望の医薬品の分散倉庫への入庫を通知する入庫希望通知を受信し、薬問屋の倉庫の医薬品を分散倉庫に移動し、入庫した医薬品の種類、数量および使用期限を管理することと、調剤薬局が送信する分散倉庫の在庫問合せを受信し在庫状況を回答することと、調剤薬局が送信する消化通知を受信し、種類および数量を管理することと、一定時間に消化された医薬品に対する補充、引き上げあるいは他の分散倉庫からの融通、入れ替えを行い、入庫希望通知に基づいた医薬品の在庫が継続し、在庫している医薬品を管理することと、一定期間における消化通知を集計し、種類、数量および金額を消化データとして利用または提供することとを有する。【選択図】図１
2005078613.tif 000002
【特許請求の範囲】
【請求項１】
通信ネットワークと、該通信ネットワークに接続される薬問屋と、調剤薬局と、調剤薬局支援サーバとを有して構成されるネットワークシステムに適用される調剤薬局業務支援方法であって、該調剤薬局支援サーバが該調剤薬局から送信される希望の医薬品が該調剤薬局にある分散倉庫に入庫されることを通知する入庫希望通知を受信し、該入庫希望通知に基づき該薬問屋に医薬品の該分散倉庫への移動を要望する手順と、該薬問屋からの情報により医薬品の移動を管理する手順と、該分散倉庫に在庫した医薬品の種類、数量および使用期限を管理する手順と、該調剤薬局から送信される該分散倉庫の特定の医薬品の在庫問合せを受信し在庫状況を回答する手順と、該調剤薬局から送信される該分散倉庫の特定の医薬品を引き出し消化したことを通知する消化通知を受信し、種類および数量を管理する手順と、一定時間に消化された医薬品に対する補充あるいは引き上げあるいは他の分散倉庫からの融通あるいは入れ替えを指示し、該入庫希望通知に基づいた医薬品の在庫を継続し、在庫している医薬品を管理する手順と、一定期間における該消化通知を集計し、種類、数量および金額を消化データとして利用または提供する手順とを有することを特徴とする調剤薬局業務支援方法
【請求項２】
請求項１記載の調剤薬局業務支援方法において、該調剤薬局から送信される該分散倉庫の特定の医薬品の在庫問合せを受信し在庫を回答する手順にあっては、該分散倉庫に在庫していない医薬品の場合は、特定の医薬品の在庫問合せを送信した該調剤薬局の近隣の分散倉庫の在庫状況を調べ、結果を特定の医薬品の在庫問合せを送信した該調剤薬局に通知する手順を加えることを特徴とする調剤薬局業務支援方法
【請求項３】
請求項１記載の調剤薬局業務支援方法にあっては、該調剤薬局支援サーバが少なくとも該分散倉庫に在庫している医薬品の薬価データ、セーフティデータ、画像データ、服薬方法データおよび禁忌データを該調剤薬局に提供する手順を加えることを特徴とする調剤薬局業務支援方法
【請求項４】
請求項１記載の調剤薬局業務支援方法にあっては、該調剤薬局支援サーバが該調剤薬局の入力により作成した患者データおよび薬暦データを保持する手順を加えることを特徴とする調剤薬局業務支援方法
【請求項５】
請求項１記載の調剤薬局業務支援方法にあっては、該調剤薬局支援サーバが前記患者データにある通信端末装置番号により通信端末装置と接続することにより、前記薬暦データにある服薬時間および前記服薬方法データをもとに患者に服薬の指導あるいは催促あるいは確認を行う手順を加えることを特徴とする調剤薬局業務支援方法
【請求項６】
請求項１記載の調剤薬局業務支援方法にあっては、該調剤薬局支援サーバが該調剤薬局のスタッフが所有する携帯情報端末装置からのアクセスにより、該分散倉庫の特定の医薬品の在庫問合せを受信し在庫状況を回答することと、該分散倉庫の特定の医薬品を引き出し消化したことを通知する消化通知を受信し、種類および数量を管理することと、少なくとも該分散倉庫に在庫している医薬品の前記薬価データ、前記セーフティデータ、前記画像データ、前記服薬データ、前記禁忌データ、前記患者データおよび前記薬暦データを送信することと、該携帯情報端末装置の入力により作成した患者データおよび薬暦データを保持することとの手順を加えることを特徴とする調剤薬局業務支援方法
【請求項７】
請求項１記載の調剤薬局業務支援方法にあっては、該調剤薬局支援サーバが外部との接続により、前記患者データおよび前記薬暦データを統計処理し医薬品について年代別あるいは性別あるいは職業別あるいは保険種別使用状況情報を提供する手順を加えることを特徴とする調剤薬局業務支援方法
【請求項８】
通信ネットワークと、該通信ネットワークに接続される薬問屋と、調剤薬局と、調剤薬局支援サーバとを有して構成される調剤薬局業務支援システムであって、該調剤薬局支援サーバが該調剤薬局から送信される希望の医薬品が該調剤薬局にある分散倉庫に入庫されることを通知する入庫希望通知を受信し、該入庫希望通知に基づき該薬問屋に医薬品の該分散倉庫への移動を要望する手段と、該薬問屋からの情報により医薬品の移動を管理する手段と、該分散倉庫に在庫した医薬品の種類、数量および使用期限を管理する手段と、該調剤薬局から送信される該分散倉庫の特定の医薬品の在庫問合せを受信し在庫状況を回答する手段と、該調剤薬局から送信される該分散倉庫の特定の医薬品を引き出し消化したことを通知する消化通知を受信し、種類、数量を管理する手段と、一定時間に消化された医薬品に対する補充あるいは引き上げあるいは他の分散倉庫からの融通あるいは入れ替えを指示し、該入庫希望通知に基づいた医薬品の在庫を継続し、在庫している医薬品を管理する手段と、一定期間における該消化通知を集計し、種類、数量および金額を消化データとして利用または提供する手段とを有することを特徴とする調剤薬局業務支援システム
【請求項９】
請求項８記載の調剤薬局業務支援システムにおいて、該調剤薬局から送信される該分散倉庫の特定の医薬品の在庫問合せを受信し在庫を回答する手段にあっては、該分散倉庫に在庫していない医薬品の場合は、特定の医薬品の在庫問合せを送信した該調剤薬局の近隣の分散倉庫の在庫状況を調べ、結果を特定の医薬品の在庫問合せを送信した該調剤薬局に通知する手段を加えることを特徴とする調剤薬局業務支援システム
【請求項１０】
請求項８記載の調剤薬局業務支援システムにあっては、該調剤薬局支援サーバが少なくとも該分散倉庫に在庫している医薬品の薬価データ、セーフティデータ、画像データ、服薬方法データおよび禁忌データを該調剤薬局に提供する手段を加えることを特徴とする調剤薬局業務支援システム
【請求項１１】
請求項８記載の調剤薬局業務支援システムにあっては、該調剤薬局支援サーバが該調剤薬局の入力により作成した患者データおよび薬暦データを保持する手段を加えることを特徴とする調剤薬局業務支援システム
【請求項１２】
請求項８記載の調剤薬局業務支援システムにあっては、該調剤薬局支援サーバが前記患者データにある通信端末装置番号により通信端末装置と接続することにより、前記薬暦データにある服薬時間および前記服薬方法データをもとに患者に服薬の指導あるいは催促あるいは確認を行う手段を加えることを特徴とする調剤薬局業務支援システム
【請求項１３】
請求項８記載の調剤薬局業務支援システムにあっては、該調剤薬局支援サーバが該調剤薬局のスタッフが所有する携帯情報端末装置からのアクセスにより、該分散倉庫の特定の医薬品の在庫問合せを受信し在庫状況を回答することと、該分散倉庫の特定の医薬品を引き出し消化したことを通知する消化通知を受信し、種類および数量を管理することと、少なくとも該分散倉庫に在庫している医薬品の前記薬価データ、前記セーフティデータ、前記画像データ、前記服薬データ、前記禁忌データ、前記患者データおよび前記薬暦データを送信することと、該携帯情報端末装置の入力により作成した患者データおよび薬暦データを保持することとの手段を加えることを特徴とする調剤薬局業務支援システム
【請求項１４】
請求項８記載の調剤薬局業務支援システムにあっては、該調剤薬局支援サーバが外部との接続により、前記患者データおよび前記薬暦データを統計処理し医薬品について年代別あるいは性別あるいは職業別あるいは保険種別使用状況情報を提供する手段を加えることを特徴とする調剤薬局業務支援システム
【請求項１５】
請求項１記載の各手順を実行させるためのプログラム
【請求項１６】
請求項１５記載のプログラムにおいて、該調剤薬局から送信される該分散倉庫の特定の医薬品の在庫問合せを受信し在庫を回答する手順にあっては、該分散倉庫に在庫していない医薬品の場合は、特定の医薬品の在庫問合せを送信した該調剤薬局の近隣の分散倉庫の在庫状況を調べ、結果を特定の医薬品の在庫問合せを送信した該調剤薬局に通知する手順を加えることを特徴とするプログラム
【請求項１７】
請求項１５記載のプログラムにあっては、該調剤薬局支援サーバが少なくとも該分散倉庫に在庫している医薬品の薬価データ、セーフティデータ、画像データ、服薬方法データおよび禁忌データを該調剤薬局に提供する手順を加えることを特徴とするプログラム
【請求項１８】
請求項１５記載のプログラムにあっては、該調剤薬局支援サーバが該調剤薬局の入力により作成した患者データおよび薬暦データを保持する手順を加えることを特徴とするプログラム
【請求項１９】
請求項１５記載のプログラムにあっては、該調剤薬局支援サーバが通信端末装置との接続により、前記患者データにある通信端末装置番号、前記薬暦データにある服薬時間および前記服薬方法データをもとに患者に服薬の指導あるいは催促あるいは確認を行う手順を加えることを特徴とするプログラム
【請求項２０】
請求項１５記載のプログラ厶にあっては、該調剤薬局支援サーバが該調剤薬局のスタッフが所有する携帯情報端末装置からのアクセスにより、該分散倉庫の特定の医薬品の在庫問合せを受信し在庫状況を回答することと、該分散倉庫の特定の医薬品を引き出し消化したことを通知する消化通知を受信し、種類および数量を管理することと、少なくとも該分散倉庫に在庫している医薬品の前記薬価データ、前記セーフティデータ、前記画像データ、前記服薬データ、前記禁忌データ、前記患者データおよび前記薬暦データを送信することと、該携帯情報端末装置の入力により作成した患者データおよび薬暦データを保持することとの手順を加えることを特徴とするプログラム
【請求項２１】
請求項１５記載のプログラムにあっては、該調剤薬局支援サーバが外部との接続により、前記患者データおよび前記薬暦データを統計処理し医薬品について年代別あるいは性別あるいは職業別あるいは保険種別使用状況情報を提供する手順を加えることを特徴とするプログラム
【発明の詳細な説明】
【技術分野】
【０００１】  本発明は、ネットワークシステムに適用される調剤薬局の業務を支援する方法およびシステム並びにプログラムに関する。
【背景技術】
【０００２】  従来の調剤薬局の業務を支援する方法としては、コンピュータネットワークを通して医薬品の受け取りの申し込みを受付けること、病医院との連携を図りコンピュータネットワークを通して処方箋を受け取る方法、あるいはレセプトの発行と医薬品の在庫管理情報とを連携させた医薬品の発注や特定地域内の病医院および調剤薬局の発注情報をまとめて共同発注する方法が示されている（例えば、特許文献参照）。【０００３】  しかしながら従来の方法では、医薬品業界特に調剤薬局にとって大きな負担となっている使用期限切れの医薬品が出ることによる経費負担の増大を軽減すること、即ち使用期限切れの医薬品が出ないようにすることの解決策が示されていない。
【特許文献】特開２００３−６３４４号「医療情報提供方法、受診申し込み受付け方法、病医院薬局連携方法、服薬履歴情報提供方法、医薬品流通方法、医薬品発注方法、医薬品配送方法及び医薬品代金決済方法」（第４−５頁）
【発明の開示】
【発明が解決しようとする課題】
【０００４】  上記に述べた従来の調剤薬局の業務を支援する方法にあっては、調剤薬局の受付け業務、処方箋の処理業務および医薬品の発注業務の省力化や効率化あるいは医薬品の共同発注による低価格化に貢献するものであるが、医薬品業界特に調剤薬局にとって大きな負担となっている使用期限切れの医薬品が出ることにより経費負担が増大することを軽減すること、即ち使用期限切れの医薬品が出ないようにすることは不可能である。【０００５】  ここにおいて、本発明の解決すべき主要な課題は、上記の問題を解決し、更に調剤薬局が望んでいる支払方法である使用した医薬品の費用分の支払い、即ち消化した医薬品の費用のみを支払えばよい消化払いの業務を支援し、また調剤薬局間の競争を優位にするために他の調剤薬局との差別化を図るサービスの提供を可能にする調剤薬局業務支援方法およびシステム並びにプログラムを実現することである。
【課題を解決するための手段】
【０００６】  本発明は、上記に述べた課題を解決するために下記の手順あるいは手段を講じるものである。【０００７】  請求項１記載の本発明は、通信ネットワークと、該通信ネットワークに接続される薬問屋と、調剤薬局と、調剤薬局支援サーバとを有して構成されるネットワークシステムに適用される調剤薬局業務支援方法であって、該調剤薬局支援サーバが該調剤薬局から送信される希望の医薬品が該調剤薬局にある倉庫（該薬問屋の倉庫と関連するところから分散倉庫と称する。以下同様）に入庫されることを通知する入庫希望通知を受信し、該入庫希望通知に基づき該薬問屋に医薬品の該分散倉庫への移動を要望する手順と、該薬問屋からの情報により医薬品の移動を管理する手順と、該分散倉庫に在庫した医薬品の種類、数量および使用期限を管理する手順と、該調剤薬局から送信される該分散倉庫の特定の医薬品の在庫問合せを受信し在庫状況を回答する手順と、該調剤薬局から送信される該分散倉庫の特定の医薬品を引き出し消化したことを通知する消化通知を受信し、種類および数量を管理する手順と、一定時間に消化された医薬品に対する補充あるいは引き上げあるいは他の分散倉庫からの融通あるいは入れ替えを指示し、該入庫希望通知に基づいた医薬品の在庫を継続し、在庫している医薬品を管理する手順と、一定期間における該消化通知を集計し、種類、数量および金額を消化データとして利用または提供する手順とを有する。【０００８】  また、請求項２記載の本発明は、請求項１記載の調剤薬局業務支援方法において、該調剤薬局から送信される該分散倉庫の特定の医薬品の在庫問合せを受信し在庫を回答する手順にあっては、該分散倉庫に在庫していない医薬品の場合は、特定の医薬品の在庫問合せを送信した該調剤薬局の近隣の分散倉庫の在庫状況を調べ、結果を特定の医薬品の在庫問合せを送信した該調剤薬局に通知する手順を加えることを有する。【０００９】  また、請求項３記載の本発明は、請求項１記載の調剤薬局業務支援方法にあっては、該調剤薬局支援サーバが少なくとも該分散倉庫に在庫している医薬品の薬価データ、セーフティデータ、画像データ、服薬方法データおよび禁忌データを該調剤薬局に提供する手順を加えることを有する。【００１０】  また、請求項４記載の本発明は、請求項１記載の調剤薬局業務支援方法にあっては、該調剤薬局支援サーバが該調剤薬局の入力により作成した患者データおよび薬暦データを保持する手順を加えることを有する。【００１１】  また、請求項５記載の本発明は、請求項１記載の調剤薬局業務支援方法にあっては、該調剤薬局支援サーバが前記患者データにある通信端末装置番号により通信端末装置と接続することにより、前記薬暦データにある服薬時間および前記服薬方法データをもとに患者に服薬の指導あるいは催促あるいは確認を行う手順を加えることを有する。【００１２】  また、請求項６記載の本発明は、請求項１記載の調剤薬局業務支援方法にあっては、該調剤薬局支援サーバが該調剤薬局のスタッフが所有する携帯情報端末装置からのアクセスにより、該分散倉庫の特定の医薬品の在庫問合せを受信し在庫状況を回答することと、該分散倉庫の特定の医薬品を引き出し消化したことを通知する消化通知を受信���、種類および数量を管理することと、少なくとも該分散倉庫に在庫している医薬品の前記薬価データ、前記セーフティデータ、前記画像データ、前記服薬データ、前記禁忌データ、前記患者データおよび前記薬暦データを送信することと、該携帯情報端末装置の入力により作成した患者データおよび薬暦データを保持することとの手順を加えることを有する。【００１３】  また、請求項７記載の本発明は、請求項１記載の調剤薬局業務支援方法にあっては、該調剤薬局支援サーバが外部との接続により、前記患者データおよび前記薬暦データを統計処理し医薬品について年代別あるいは性別あるいは職業別あるいは保険種別等の使用状況情報を提供する手順を加えることを有する。【００１４】  上記に述べた手順に関わる作用は、調剤薬局が入庫されることを通知した医薬品を調剤薬局にある分散倉庫に継続して在庫することができ、一定期間における分散倉庫からの医薬品の引き出しを示す消化通知を集計し、期間中の消化データとして利用または提供することができる。また、調剤薬局に対しては、調剤薬局が分散倉庫に在庫していない医薬品の要求を受けた場合は、近隣の調剤薬局にある分散倉庫の在庫状況を調べ、どの分散倉庫に該当する医薬品があるかを調べ即座に通知し、レセプト発行等に必要な医薬品の薬情報データを提供し、調剤薬局にとって重要となる患者データおよび服薬データの保管を行い、これら薬情報データ、患者データおよび服薬データをもとに患者に服薬の指導あるいは催促あるいは確認を行うサービスを可能にし、携帯情報端末装置によるレセプト発行データ作成を可能にする。また、外部に対しては医薬品についての年代別あるいは性別あるいは職業別あるいは保険種別等の使用状況情報の提供を行う方法を講ずることができる。【００１５】  また、請求項８記載の本発明は、通信ネットワークと、該通信ネットワークに接続される薬問屋と、調剤薬局と、調剤薬局支援サーバとを有して構成される調剤薬局業務支援システムであって、該調剤薬局支援サーバが該調剤薬局から送信される希望の医薬品が該調剤薬局にある分散倉庫に入庫されることを通知する入庫希望通知を受信し、該入庫希望通知に基づき該薬問屋に医薬品の該分散倉庫への移動を要望する手段と、該薬問屋からの情報により医薬品の移動を管理する手段と、該分散倉庫に在庫した医薬品の種類、数量および使用期限を管理する手段と、該調剤薬局から送信される該分散倉庫の特定の医薬品の在庫問合せを受信し在庫状況を回答する手段と、該調剤薬局から送信される該分散倉庫の特定の医薬品を引き出し消化したことを通知する消化通知を受信し、種類、数量を管理する手段と、一定時間に消化された医薬品の補充あるいは引き上げあるいは他の分散倉庫からの融通あるいは入れ替えを指示し、該入庫希望通知に基づいた医薬品の在庫を継続し、在庫している医薬品を管理する手段と、一定期間における該消化通知を集計し、種類、数量および金額を消化データとして利用または提供する手段とを有する。【００１６】  また、請求項９記載の本発明は、請求項８記載の調剤薬局業務支援システムにおいて、該調剤薬局から送信される該分散倉庫の特定の医薬品の在庫問合せを受信し在庫を回答する手段にあっては、該��散倉庫に在庫していない医薬品の場合は、特定の医薬品の在庫問合せを送信した該調剤薬局の近隣の分散倉庫の在庫状況を調べ、結果を特定の医薬品の在庫問合せを送信した該調剤薬局に通知する手段を加えることを有する。【００１７】  また、請求項１０記載の本発明は、請求項８記載の調剤薬局業務支援システムにあっては、該調剤薬局支援サーバが少なくとも該分散倉庫に在庫している医薬品の薬価データ、セーフティデータ、画像データ、服薬方法データおよび禁忌データを該調剤薬局に提供する手段を加えることを有する。【００１８】  また、請求項１１記載の本発明は、請求項８記載の調剤薬局業務支援システムにあっては、該調剤薬局支援サーバが該調剤薬局の入力により作成した患者データおよび薬暦データを保持する手段を加えることを有する。【００１９】  また、請求項１２記載の本発明は、請求項８記載の調剤薬局業務支援システ厶にあっては、該調剤薬局支援サーバが前記患者データにある通信端末装置番号により通信端末装置と接続することにより、前記薬暦データにある服薬時間および服薬方法データをもとに患者に服薬の指導あるいは催促あるいは確認を行う手段を加えることを有する。【００２０】  また、請求項１３記載の本発明は、請求項８記載の調剤薬局業務支援システムにあっては、該調剤薬局支援サーバが該調剤薬局のスタッフが所有する携帯情報端末装置からのアクセスにより、該分散倉庫の特定の医薬品の在庫問合せを受信し在庫状況を回答することと、該分散倉庫の特定の医薬品を引き出し消化したことを通知する消化通知を受信し、種類および数量を管理することと、少なくとも該分散倉庫に在庫している医薬品の前記薬価データ、前記セーフティデータ、前記画像データ、前記服薬データ、前記禁忌データ、前記患者データおよび前記薬暦データを送信することと、該携帯情報端末装置の入力により作成した患者データおよび薬暦データを保持することとの手段を加えることを有する。【００２１】  また、請求項１４記載の本発明は、請求項８記載の調剤薬局業務支援システムにあっては、該調剤薬局支援サーバが外部と接続することにより、前記患者データおよび前記薬暦データを統計処理し医薬品について年代別あるいは性別あるいは職業別あるいは保険種別等の使用状況情報を提供する手段を加えることを有する。【００２２】  上記に述べた手段に関わる作用は、調剤薬局が入庫されることを通知した医薬品を調剤薬局にある分散倉庫に継続して在庫することができ、一定期間における分散倉庫からの医薬品の引き出しを示す消化通知を集計し、期間中の消化データとして利用または提供することができる。また、調剤薬局に対しては、調剤薬局が分散倉庫に在庫していない医薬品の要求を受けた場合は、近隣の調剤薬局にある分散倉庫の在庫状況を調べ、どの分散倉庫に該当する医薬品があるかを調べ即座に通知し、レセプト発行等に必要な医薬品の薬情報データを提供し、調剤薬局にとって重要となる患者データおよび服薬データの保管を行い、これら薬情報データ、患者データおよび服薬データをもとに患者に服薬の指導あるいは催促あるいは確認を行うサービスを可能にし、形態情報端末装置によるレセプト発行データ作成を可能にする。また、外部に��しては医薬品についての年代別、性別あるいは職業別あるいは保険種別等の使用状況情報の提供を行うシステムを講ずることができる。
【発明の効果】
【００２３】  上記に述べた本発明の調剤薬局業務支援方法およびシステム並びにプログラムは、調剤薬局にとっては、調剤薬局自身が希望する医薬品の種類と数量が継続して手元に揃うことになり、しかも医薬品の期限切れを心配する必要がなく、使用した医薬品の費用のみを支払う消化払いの業務が容易になり、更に他の調剤薬局との差別化が図れる患者へのサービスの提供が可能になる。【００２４】  また薬問屋にとっては、調剤薬局に対して調剤薬局自身が望む医薬品が揃えられる方法およびシステムを提供することによりシェアを拡大することができ、更に医薬品の特定地域内の融通、入れ替えは無論のこと特定地域間においても融通、入れ替えを徹底して行うことが可能になり、結果として廃棄となる医薬品を減少させることができる。廃棄となる医薬品の減少は、廃棄による資源の無駄遣いを防ぎ、産業廃棄物の発生を抑制するとともに、薬問屋や薬メーカによる過剰な販売活動や過剰な生産、過剰な配送を是正することになり、エネルギーの節約にもつながるものである。
【発明を実施するための最良の形態】
【００２５】  本発明の調剤薬局業務支援方法およびシステムを実施するための最良の形態について図面を参照して説明する。【００２６】  図１は、本発明を用いたシステムの構成例を示す接続図である。同図は本システムが、移動体通信を含む通信ネットワーク１と、通信ネットワーク１に接続される製薬メーカ２と、薬問屋３と、調剤薬局６ａおよび６ｂ（どの調剤薬局かを特定しない場合は６と称する。以下同様）と、調剤薬局支援サーバ装置９と、調剤薬局６ａの患者が所有する通信端末装置１０ａと、調剤薬局６ｂの患者が所有する通信端末装置１０ｂ（どの通信端末装置かを特定しない場合は１０と称する。以下同様）と、調剤薬局６ａのスタッフが所有するＰＤＡ（Ｐｅｒｓｏｎａｌ  Ｄｉｇｉｔａｌ  Ａｓｓｉｓｔａｎｔ）、ノートＰＣ（Ｐｅｒｓｏｎａｌ  Ｃｏｍｐｕｔｅｒ）および携帯電話等の携帯情報端末装置１１ａと、調剤薬局６ｂのスタッフが所有する携帯情報端末装置１１ｂ（どの携帯情報端末装置かを特定しない場合は１１と称する。以下同様）とを有して構成されることを示している。薬問屋３は、倉庫４と、ＰＣ等の管理装置５とを有し、調剤薬局６ａは、分散倉庫７ａと、ＰＣ等の端末装置８ａとを有し、調剤薬局６ｂは、分散倉庫７ｂと、ＰＣ等の端末装置８ｂとを有している。本システ厶の機能について下記に説明する。【００２７】  図２は、図１のシステムの機能概要例を示す機能構成図である。同図は通信ネットワーク１に接続される製薬メーカ２と、薬問屋３と、調剤薬局６と、調剤薬局支援サーバ装置９と、通信端末装置１０と、携帯情報端末装置１１と、患者１２とにより構成されている。【００２８】  薬問屋３は、製薬メーカ２から納入された医薬品を保管する倉庫４と、薬問屋３の管理を担うＰＣ等の管理装置５とを含んでいる。管理装置５は、その中に倉庫４を管理する倉庫管理５１と、倉庫４に保管されている医薬品あるいは新薬の薬価データ、セーフティデータ、画像データ、服薬方法データおよび禁忌データを薬情報データとして管理する薬情報データ管理５２とを含んでおり、これらの機能により外部からの医薬品の移動の要望や在庫の問合せあるいは新薬の問合せに対し速やかに回答することができるとともに、該当する薬情報データを送信することができることを前提としている。【００２９】  調剤薬局６は、調剤薬局６が入庫されることを通知した医薬品を在庫する分散倉庫７と、調剤薬局６の業務を担うＰＣ等の端末装置８とを含んでいる。端末装置８は、その中に調剤薬局６が希望する医薬品が分散倉庫７に入庫されることを調剤薬局支援サーバ装置９に通知する入庫希望通知処理８１と、患者１２が来局したときに、初めての患者については氏名、年齢、性別、住所、職業、連絡先となる通信端末装置１０の番号および保険の種類等の情報の入手を行い、再来局の患者については患者データベースおよび薬暦データベースにアクセスし患者の情報を得ることを行い、また処方箋に指定された医薬品が分散倉庫７に在庫されているかを調剤薬局支援サーバ装置９に問合せ回答を得る等を適宜処理することを可能にする処方箋受付け処理８２と、処方箋処理のための操作を行う処方箋処理操作８３と、レセプトの発行を行うレセプト発行８４と、レセ��トに応じて分散倉庫７から医薬品を引き出し消化したことを調剤薬局支援サーバ装置９に通知する分散倉庫出庫処理８５と、患者１２の患者データベースおよび薬暦データベースの登録あるいは更新を行い、また調剤薬局支援サーバ装置９に患者、薬暦データの送信を行う患者、薬暦データ管理８６とを含んでおり、これらの機能により患者１２にレセプトの発行と医薬品の支給が可能になることを前提としている。なお、患者１２の来局とは独立に処方箋処理操作８３を行うことにより新薬の薬情報データを入手することができるものとする。【００３０】  調剤薬局支援サーバ装置９は本発明の特徴となるサーバ装置であり、調剤薬局６から送信される調剤薬局６が希望する医薬品が分散倉庫７に入庫されることを通知する入庫希望通知を受信し、本入庫希望通知により薬問屋３に医薬品の移動を要望し、本要望の回答情報により医薬品の移動の時期や配送ルートを管理し、また後に説明する分散倉庫データ管理９２に分散倉庫７に入庫した医薬品の種類、数量および使用期限を通知し、また分散倉庫データ管理９２が持つ最新の医薬品の種類および数量が入庫希望通知以下になっていないか、更に使用期限が迫っていないかを調ベ、入庫希望通知以下になっていたり、使用期限が迫っていた場合には薬問屋３の倉庫４からの補充あるいは倉庫４への引き上げ、他の分散倉庫にある中からの融通あるいは入れ替えを指示することにより入庫希望通知に基づいた医薬品の在庫を継続し、変動させた分の医薬品の種類、数量および使用期限を分散倉庫データ管理９２に通知し、また分散倉庫データ管理９２から分散倉庫７に在庫していない医薬品の在庫問合せがあったことの通知を受けると近隣の分散倉庫の在庫を調べ結果を分散倉庫データ管理９２に返すことを行う分散倉庫管理９１と、分散倉庫管理９１から通知を受けた医薬品の種類、数量および使用期限を分散倉庫データベースとして管理を行い、また調剤薬局６から送信される分散倉庫７の特定の医薬品の在庫問合せを受信し在庫状況を回答し、また調剤薬局６から送信される分散倉庫の特定の医薬品を引き出し消化したことを通知する消化通知を受信し数量の更新と経緯を管理し、また分散倉庫管理９１からの問合せに対し最新の医薬品の種類、数量および使用期限について回答し、また調剤薬局６から送信される分散倉庫７の特定の医薬品の在庫問合せにおいて在庫していない場合は分散倉庫管理９１に在庫していない医薬品の在庫問合せがあったことの通知行い、本問合せの分散倉庫管理９１からの回答を調剤薬局６に回答する分散倉庫データ管理９２と、薬問屋３から送信される分散倉庫７に在庫するあるいは新薬の医薬品の薬価データ、セーフティデータ、画像データ、服薬方法データおよび禁忌データの薬情報データを受信し分散倉庫薬データベースとして過去に在庫していた分も含めて管理を行う分散倉庫薬情報データ管理９３と、調剤薬局６の処方箋処理操作８３と連携して処方箋処理を行う処方箋処理９４と、調剤薬局６から送信される患者データおよび薬暦データを受信し患者データベースおよび薬暦データベースとして管理する患者、薬暦データ管理９５と、患者データベースにある通信端末装置１０の番号により通信端末装置１０と接続することにより、薬暦データベースにある服薬時間および分散倉庫薬情報データ管理９３にある服薬方法データをもとに患者に服薬の指導あるいは催促あるいは確認を行う通信端末装置サービス処理９６と、調剤薬局６のスタッフが所有する携帯情報端末装置１１から調剤支援サーバ９にアクセスがあった場合、分散倉庫７の特定の医薬品の在庫問合せを受信し、分散倉庫データ管理９２が管理する分散倉庫７に在庫している医薬品の種類、数量および使用期限を回答することと、分散倉庫７の特定の医薬品を引き出し消化したことを通知する消化通知を受信し分散倉庫データ管理９２が種類および数量を管理することと、分散倉庫薬情報データ管理９３が管理する分散倉庫７に在庫しているあるいは過去に在庫していたあるいは新薬の薬価データ、セーフティデータ、画像データ、服薬方法データおよび禁忌データと、患者、薬暦データ管理９５が管理する患者データおよび薬暦データとを送信することと、携帯情報端末装置１１の入力により作成した患者データおよび薬暦データを受信し保持することとを可能にする携帯情報端末装置サービス処理９７と、分散倉庫データ管理９２が管理する医薬品の種類および数量の経緯および分散倉庫薬情報データ管理９３が管理する薬価データをもとに一定期間に消化した医薬品の種類、数量および金額を消化データとして提供する消化データ処理９８と、患者、薬暦データ管理９５が管理する患者データおよび薬暦データを統計処理し医薬品について年代別、性別、職業別および保険種別等の使用状況について外部の例えば製薬メーカ２に提供可能にする統計処理９９とを含んでいる。【００３１】  通信端末装置１０は、汎用の通信端末装置であり調剤薬局支援サーバ９の通信端末装置サービス処理９６から接続され患者１２に服薬の指導あるいは催促あるいは確認のできることを前提としている。【００３２】  携帯情報端末装置１１は、汎用の携帯情報端末装置であり調剤薬局６のスタッフが外出中に調剤薬局支援サーバ９の携帯情報端末装置サービス処理９７にアクセスして分散倉庫７の特定の医薬品の在庫問合せを送信し分散倉庫データ管理９２が管理する分散倉庫７に在庫している医薬品の種類、数量、使用期限を受信することと、分散倉庫７の特定の医薬品を引き出し消化したことを通知する消化通知を送信し分散倉庫データ管理９２が種類および数量を管理することと、分散倉庫薬情報データ管理９３が管理する分散倉庫７に在庫しているあるいは過去に在庫していたあるいは新薬の薬価データ、セーフティデータ、画像データ、服薬方法データおよび禁忌データと、患者、薬暦データ管理９５が管理する患者データおよび薬暦データとを受信することと、携帯情報端末装置１１の入力により作成した患者データおよび薬暦データを送信することとを可能にすることを前提としている。【００３３】  上記の説明では処方箋処理９４は調剤薬局支援サーバ装置９にあるとしたが調剤薬局の端末装置８にあっても何ら問題はない。【００３４】  続いて上記に述べたシステムの動作を調剤薬局の業務にそって説明することにより業務の流れの中における本発明の調剤薬局業務支援方法を説明する。【００３５】  図３は、図１のシステムの調剤薬局の業務にそった動作例を示すシーケン��チャートである。本シーケンスは製薬メーカ２と、薬問屋３の倉庫４と、薬問屋３の管理装置５と、調剤薬局支援サーバ装置９と、調剤薬局６にある分散倉庫７と、調剤薬局６の端末装置８と、通信端末装置１０と、携帯情報端末装置１１と、患者１２との間のシーケンスについて示したものである。【００３６】  製薬メーカ２から倉庫４へ医薬品が納入される（ステップ１をＳ１と称する  以下同様他も同様）。端末装置８は、入庫希望通知処理８１により調剤薬局６が希望する医薬品が分散倉庫７に入庫されることを通知する入庫希望通知を調剤薬局支援サーバ装置９に送信すると（Ｓ２）、調剤薬局支援サーバ装置９は、分散倉庫管理９１により本通知を受信し本通知により管理装置５に医薬品の移動を要望し（Ｓ３）、管理装置５の倉庫管理５１から送信されてくる移動する医薬品の種類、数量および使用期限の回答情報を受信し（Ｓ４）、移動の時期、配送ルートを管理し（Ｓ５）、また分散倉庫データ管理９２に分散倉庫７に在庫した医薬品の種類、数量および使用期限を通知し、本通知を受けた分散倉庫データ管理９２がこれらの医薬品の種類、数量および使用期限を分散倉庫データベースとして管理する（Ｓ６）。管理装置５は、倉庫管理５１により移動する医薬品の種類が薬情報データ管理５２に通知されることにより、薬情報データ管理５２が移動する医薬品の薬価データ、セーフティデータ、画像データ、服薬方法データおよび禁忌データの薬情報データを調剤薬局支援サーバ装置９に送信し（Ｓ７）、調剤薬局支援サーバ装置９は、分散倉庫薬情報データ管理９３により本情報を受信し（Ｓ８）、分散倉庫薬情報データベースとして管理する（以上をＡ段階と称する）。【００３７】  患者１２が調剤薬局６に来ると端末装置８は、処方箋受付処理８２により初めての患者については氏名、年齢、性別、住所、職業、連絡先となる通信端末装置１０の番号および保険の種類等の情報の入手を行い、再来局の患者については患者データベースおよび薬暦データベースにアクセスし患者１２の情報を得るとともに、処方箋に指定された医薬品が分散倉庫７に在庫されているかの在庫問合せを調剤薬局支援サーバ装置９に行い（Ｓ９）、調剤薬局支援サーバ装置９は、分散倉庫データ管理９２により本問合せを受信し分散倉庫データベースにアクセスし在庫問合せ回答を端末装置８に送信する（Ｓ１０）。端末装置８は、本在庫問合せ回答を処方箋受付処理８２により受信し、在庫が確認されたことにより処方箋処理の操作に入る。ここでの処方箋の操作は、処方箋処理を行うソフトウェアが処方箋処理９４として調剤薬局支援サーバ装置９にある場合について述べる。処方箋処理操作８３と処方箋処理９４とは連携して処方箋の処理を行うことになり、例えば処方箋処理操作８３で条件を設定し、その条件で処方箋処理９４において処理を行い、処理した結果が再び処方箋処理操作８３に表示されることになる。端末装置８は、処方箋の処理に必要な薬価データ、セーフティデータ、画像データ、服薬方法データおよび禁忌データを処方箋処理操作８３により検索条件を設定し、処方箋処理９４を通して分散倉庫薬情報データ管理９３が管理する分散倉庫薬情報データベースにアクセスし入手する（Ｓ１１、Ｓ��２）。端末装置８は、処方箋の処理が済んだことによりレセプトの発行をレセプト発行８４により行い（Ｓ１３）、分散倉庫７から該当する医薬品を引き出し患者１２に支給する（Ｓ１４）。また端末装置８は、分散倉庫出庫処理８５により分散倉庫７から特定の医薬品を引き出し消化したことを通知する消化通知を調剤薬局支援サーバ装置９に送信し（Ｓ１５）、調剤薬局支援サーバ装置９は、本通知を分散倉庫データ管理９２により受信し本通知により分散倉庫データベースを更新し履歴を管理する（Ｓ１６）。また端末装置８は、患者データおよび薬暦データの患者データベースおよび薬暦データベースへの登録あるいは更新を患者、薬暦データ管理８６により行うとともに患者データおよび薬暦データを調剤薬局支援サーバ装置９に送信し（Ｓ１７）、調剤薬局支援サーバ装置９は、本データを患者、薬暦データ管理９５により受信し、薬暦データ管理９５が管理する患者データベースおよび薬暦データベースの登録あるいは更新を行う（Ｓ１８）。調剤薬局支援サーバ装置９は、通信端末装置サービス処理９６を起動することにより患者、薬暦データ管理９５が管理する患者データベースにある通信端末装置１０の番号により通信端末装置１０と接続することにより、薬暦データベースにある服薬時間および分散倉庫薬情報データ管理９３が管理する分散倉庫薬情報データベースにある服薬方法データをもとに患者１２に服薬の指導あるいは催促あるいは確認を行う（Ｓ１９）。調剤薬局６のスタッフが、外出中に携帯情報端末装置１１から調剤薬局支援サーバ装置９にアクセスすることにより、調剤薬局支援サーバ装置９は、携帯情報端末装置サービス処理９７を通すことにより、分散倉庫７の特定の医薬品の在庫問合せを受信し分散倉庫データ管理９２が管理する分散倉庫７に在庫している医薬品の種類、数量および使用期限を回答することと、分散倉庫７の特定の医薬品を引き出し消化したことを通知する消化通知を受信し分散倉庫データ管理９２が種類および数量を管理することと、分散倉庫薬情報データ管理９３が管理する分散倉庫７に在庫しているあるいは過去に在庫していたあるいは新薬の薬価データ、セーフティデータ、画像データ、服薬方法データおよび禁忌データと、患者、薬暦データ管理９５が管理する患者データおよび薬暦データとを送信することと、携帯情報端末装置の入力により作成した患者データおよび薬暦データを受信し保持する（Ｓ２０）。調剤薬局支援サーバ装置９は、分散倉庫管理９１により分散倉庫データ管理９２が持つ最新の医薬品の種類および数量が入庫希望通知以下になっていないか、更に使用期限が迫っていないかを調べ、入庫希望通知以下になっていたり、使用期限が迫っていた場合には薬問屋３の倉庫４からの補充あるいは倉庫４への引き上げ、他の分散倉庫にある中からの融通あるいは入れ替えを管理することにより入庫希望通知に基づいた医薬品の在庫を継続できるように指示する（Ｓ２１）。ここでは補充、引き上げ（Ｓ２２、Ｓ２３）、融通、入れ替え（Ｓ２４）の各場合について示している。変動させた分の医薬品の種類、数量および使用期限を分散倉庫データ管理９２に通知し、分散倉庫データ管理９２において分散倉庫データベースを更新し経緯を��積する（Ｓ２５）。なおステップ１０において調剤薬局支援サーバ装置９は、端末装置８から送信される特定の医薬品の在庫問合せを分散倉庫データ管理９２により受信するが、在庫していない医薬品の場合は分散倉庫データ管理９２が分散倉庫管理９１に在庫していない医薬品の在庫問合せがあったことの通知を行うことにより、分散倉庫管理９１がステップ２１〜２５と同様の動作シーケンスを持つことで近隣の分散倉庫の在庫を調べ結果を分散倉庫データ管理９２に返すことを行う。なお、ステップ１１、１２にあっては、患者１２の来局とは独立に操作することにより分散倉庫薬情報データベースにアクセスし新薬の薬情報データを入手することができる。（以上をＢ段階と称する）【００３８】  調剤薬局支援サーバ装置９は、消化データ処理９８により一定期間における消化データの処理を行うために分散倉庫データ管理９２が管理する分散倉庫データベースから数量の経過情報を入手し、また分散倉庫薬情報データ管理９３が管理する分散倉庫薬情報データベースから薬価データを入手し一定期間中の消化医薬品の種類、数量および金額を算出する（Ｓ２６）。また調剤薬局支援サーバ装置９は、統計処理９９により一定期間の患者、薬暦データ管理９５が管理する患者データ、薬暦データを入手し統計処理し医薬品について年代別、性別、職業別および保険種別等の使用状況を外部の例えば製薬メーカ２に提供する（Ｓ２７）。（以上をＣ段階と称する）【００３９】  調剤薬局の業務支援にあっては、調剤薬局を開業するにあたってはＡ段階が、日々の業務にあたってはＢ段階が、また一定の期間毎に行われる消化医薬品の精算業務についてはＣ段階が相当している。【００４０】  上記に述べた本発明の調剤薬局業務支援方法の請求項毎の各ステップとの対応は下記のとおりである。【００４１】  請求項１においては、調剤薬局支援サーバが調剤薬局から送信される希望の医薬品が該調剤薬局にある分散倉庫に入庫されることを通知する入庫希望通知を受信し、該入庫希望通知に基づき薬問屋に医薬品の該分散倉庫への移動を要望する手順にあっては、ステップ２、３が該当し、該薬問屋からの情報により医薬品の移動を管理する手順にあっては、ステップ４、５が該当し、該分散倉庫に在庫した医薬品の種類、数量および使用期限を管理する手順にあっては、ステップ６が該当する。また、該調剤薬局から送信される該分散倉庫の特定の医薬品の在庫問合せを受信し在庫状況を回答する手順にあっては、ステップ９、１０が該当する。また、該調剤薬局から送信される該分散倉庫の特定の医薬品を引き出し消化したことを通知する消化通知を受信し、種類および数量を管理する手順にあっては、ステップ１５、１６が該当する。また、一定時間に消化された医薬品に対する補充あるいは引き上げあるいは他の分散倉庫からの融通あるいは入れ替えを指示し、該入庫希望通知に基づいた医薬品の在庫を継続し、在庫している医薬品を管理する手順にあっては、ステップ２１〜２５が該当し、一定期間における該消化通知を集計し、種類、数量および金額を消化データとして利用または提供する手順にあっては、ステップ２６が該当する。【００４２】  請求項２においては、ステップ１０において分散倉庫データ���理９２が在庫していない医薬品の在庫問合せがあったことの通知を行うことにより、分散倉庫管理９１がステップ２１〜２５と同様の動作シーケンスを持つことになる。【００４３】  請求項３においては、ステップ７、８が該当する。【００４４】  請求項４においては、ステップ１７、１８が該当する。【００４５】  請求項５においては、ステップ１９が該当する。【００４６】  請求項６においては、ステップ２０が該当する。【００４７】  請求項７においては、ステップ２７が該当する。【００４８】  なお、本発明は、図１〜図３を用いて説明した形態に限定されるものではなく、その主旨を逸脱しない範囲において種々変更可能である。例えば本例で用いた入庫希望通知は入庫されることを通知するのみならず、引き上げてもらうことを通知することに適用することでもよい。
【産業上の利用可能性】
【００４９】  上記に説明したとおり産業上の利用が可能であることは明らかである。即ち本発明が適用されるネットワークシステ厶の構成要素である通信ネットワーク、製薬メーカ、薬問屋、調剤薬局、通信端末装置および携帯情報端末装置は既に現実社会の中で稼動しているものであり、ここに本発明の調剤薬局支援サーバ装置を汎用のサーバ装置の上に本発明の方法およびシステムに基づくプログラムを実装することにより構成し、本サーバ装置を上記ネットワークシステムに加えることで実現可能となる。
【図面の簡単な説明】
【００５０】
【図１】  本発明を用いたシステムの構成例を示す接続図
【図２】  図１の機能概要例を示す機能構成図
【図３】  図１の動作例を示すシーケンスチャート
【符号の説明】
【００５１】  １  通信ネットワーク
２  製薬メーカ
３  薬問屋
４  薬問屋の倉庫
５  薬問屋の管理装置
６（６ａ、６ｂ）  調剤薬局
７（７ａ、７ｂ）  調剤薬局にある薬問屋の分散倉庫
８（８ａ、８ｂ）  調剤薬局の端末装置
９  調剤薬局支援サーバ装置
１０（１０ａ、１０ｂ）  調剤薬局６の患者が所有する通信端末装置
１１（１１ａ、１１ｂ）  調剤薬局６のスタッフが所有する携帯情報端末装置
【図１】
2005078613.tif 000003
【図２】
2005078613.tif 000004
【図３】
2005078613.tif 000005